(57)【要約】【課題】ノブのプッシュ操作によってドアを開くタイプにおいて、ドアが開く前に閂ロッドの先端部がロック孔に再び進入するのを防止するとともに、ドアを閉じた状態で両閂ロッドの一方だけがロック孔に進入した片掛かりを回避する。【解決手段】ノブ３０のプッシュ操作によってドアを開くときに、互いに同期して摺動する両閂ロッド１２をロック解除位置に摺動させた状態で保持し、この保持がドアを開閉するときに閂ロッド１２の側から作用するロック解除方向の外力によって解放される。【選択図】図１
2015113594.tif 000002
【特許請求の範囲】
【請求項１】
ドアの両側に配置された一対の閂ロッドが互いに同期して摺動するとともに、個々の先端部が相手部材のロック孔にそれぞれ進入したロック位置においてドアを閉じた状態に保持し、ノブのプッシュ操作によって両閂ロッドをロックスプリングの付勢力に抗して摺動させ、個々の先端部が相手部材のロック孔からそれぞれ退出したロック解除位置においてドアを開くことができるドア用ロック機構であって、
両閂ロッドの基端部に、これらの閂ロッドの摺動に同期機能をもたせるためのステーが個別に結合され、これらのステーは、プッシュ操作によるノブの作動を受けて両閂ロッドをロック位置からロック解除位置に向けて摺動させる方向へ移動するように設定され、ノブは、そのプッシュ操作によってリターンスプリングの弾性力に抗しながら作動し、両閂ロッドをロック解除位置に摺動させたときに両ステーのうちの少なくとも一方に係合して両ステーと共にその位置に保持されるように構成され、ノブとステーとの係合は、ドアを開閉するときに閂ロッドの側からステーに作用するロック解除方向の外力によって解放されるように構成されたドア用ロック機構。
【請求項２】
請求項１に記載されたドア用ロック機構であって、
ドアに固定されたケースに対してノブ、リターンスプリングおよび両ステーがそれぞれ組み付けられており、このノブが、そのプッシュ操作によってステーを移動させるとともに、両閂ロッドをロック解除位置に摺動させたときにステーに係合してノブおよびステーをその位置に保持する少なくとも４個の爪部を備え、これらの爪部をケース内の四隅に接触させた状態でノブが作動するように構成されたドア用ロック機構。
【発明の詳細な説明】
【技術分野】
【０００１】
本発明は、車室内のグラブボックスやコンソールボックス等のドアを閉じた状態でロックするドア用ロック機構に関し、特にノブのプッシュ操作により、ロックが解除されてドアを開くことができるプッシュオープンタイプのドア用ロック機構に関する。
【背景技術】
【０００２】
この種のドアロック機構は、例えば特許文献１に開示された技術が知られている。この技術においては、ドアの裏側において一対の閂ロッドが互いに同期して摺動するように組み付けられている。これらの閂ロッドは、個々の先端部がインストルメントパネルのロック孔にそれぞれ進入したロック位置に向かう方向へ付勢力を受けている。
両閂ロッドのロック位置においてドアは閉じた状態に保持されており、ノブをプッシュ操作することにより、両閂ロッドが個々の先端部をロック孔から退出させたロック解除位置に摺動し、ドアを開くことができる。
【先行技術文献】
【特許文献】
【０００３】
【特許文献１】特開２００９−２６９５７２号公報
【発明の概要】
【発明が解決しようとする課題】
【０００４】
ノブのプッシュ操作によってドアを開くプッシュオープンタイプにおいては、ノブの操作方向とドアを開く方向とが相反することから、ドアを開くためにノブをプッシュ操作しても、ドアが開く前に閂ロッドが再びロック位置に戻る場合がある。この対策として、例えば閂ロッドが付勢力によってロック位置に向かうときの摺動速度を、ダンパー等で遅らせることが考えられる。しかし、この対策では大幅なコストアップを招くことから、実現性に乏しい。
【０００５】
本発明は、このような課題を解決しようとするもので、その目的は、ノブのプッシュ操作によってドアを開くタイプにおいて、ドアが開く前に閂ロッドの先端部がロック孔に再び進入するのを防止するとともに、ドアを閉じた状態で両閂ロッドの一方だけがロック孔に進入した片掛かりを回避することである。
【課題を解決するための手段】
【０００６】
本発明は、上記の目的を達成するためのもので、以下のように構成されている。
ドアの両側に配置された一対の閂ロッドが互いに同期して摺動するとともに、個々の先端部が相手部材のロック孔にそれぞれ進入したロック位置においてドアを閉じた状態に保持し、ノブのプッシュ操作によって両閂ロッドをロックスプリングの付勢力に抗して摺動させ、個々の先端部が相手部材のロック孔からそれぞれ退出したロック解除位置においてドアを開くことができるドア用ロック機構であって、両閂ロッドの基端部に、これらの閂ロッドの摺動に同期機能をもたせるためのステーが個別に結合されている。
これらのステーは、プッシュ操作によるノブの作動を受けて両閂ロッドをロック位置からロック解除位置に向けて摺動させる方向へ移動するように設定されている。ノブは、そのプッシュ操作によってリターンスプリングの弾性力に抗しながら作動し、両閂ロッドをロック解除位置に摺動させたときに両ステーのうちの少なくとも一方に係合して両ステーと共にその位置に保持されるように構成されている。ノブとステーとの係合は、ドアを開閉するときに閂ロッドの側からステーに作用するロック解除方向の外力によって解放されるように構成されている。
【０００７】
より好ましくは、つぎの構成を採用することである。
ドアに固定されたケースに対してノブ、リターンスプリングおよび両ステーがそれぞれ組み付けられている。このノブが、そのプッシュ操作によってステーを移動させるとともに、両閂ロッドをロック解除位置に摺動させたときにステーに係合してノブおよびステーをその位置に保持する少なくとも４個の爪部を備え、これらの爪部をケース内の四隅に接触させた状態でノブが作動するように構成されている。
【発明の効果】
【０００８】
本発明においては、ノブのプッシュ操作によってドアを開くときに、ノブとステーとが両閂ロッドをロック解除位置に摺動させた状態で保持することにより、プッシュ操作の方向とドアを開く方向とが相反するにもかかわらず、ドアが開く前に閂ロッドの先端部が相手部材のロック孔に再び進入するような不具合が防止され、ドアを確実に開くことができる。
そして、両閂ロッドをロック解除位置に摺動させた状態の保持が、ドアを開閉するときに閂ロッドの側からステーに作用するロック解除方向の外力によって解放され、かつ、両閂ロッドが互いに同期して摺動することにより、ドアを閉じるときに両閂ロッドの一方にだけロック解除方向の外力が働いたとしても、両閂ロッドの保持が共に解放される。この結果、ドアを閉じた状態で両閂ロッドの一方だけが相手部材のロック孔に進入した片掛かりを回避でき、車両の走行中にドアが開くことや片掛かりによるドアの変形を防止することができる。
【０００９】
また、ノブが各爪部をケース内の四隅に接触させた状態で作動することにより、ノブをプッシュ操作するときの押す位置が偏っていても、該ノブの作動は安定したものとなり、操作フィーリングが向上する。
【図面の簡単な説明】
【００１０】
【図１】ドア用ロック機構を表した斜視図。
【図２】ドア用ロック機構の構成部材を分解状態で表した斜視図。
【図３】ドア用ロック機構のロック部分を表した斜視図。
【図４】ドアを閉じた状態におけるドア用ロック機構を表した断面図。
【図５】ドアを開く直前のドア用ロック機構を表した断面図。
【図６】ドアを閉じた直後のドア用ロック機構を表した断面図。
【発明を実施するための形態】
【００１１】
以下、本発明を実施するための形態を、図面を用いて説明する。
図面では、グラブボックスのドア用ロック機構が示されている。図３，４に示されているドア１０は、その相手部材であるインストルメントパネル（インパネ）１６に対してヒンジ（図示省略）を支点とする回転操作による開閉が可能に組み付けられている。そして本実施の形態のロック機構は、左右一対の閂ロッド１２がドア１０の内側において左右方向へ摺動可能に組み付けられている。両閂ロッド１２は、個々の先端部１２ａがインパネ１６のロック孔１８にそれぞれ進入したロック位置においてドアを閉じた状態に保持することができる。また、両閂ロッド１２の先端部１２ａがインパネ１６のロック孔１８から退出したロック解除位置においては、ドア１０を開くことができる。
なお、図３において一方（図面左方）の閂ロッド１２のロック位置が実線で示され、ロック解除位置が仮想線Ａで示されている。
【００１２】
両閂ロッド１２は、後述するように互いに同期して摺動することができる。このため、一方（図面左方）の閂ロッド１２とドア１０との間に掛けられたロックスプリング１４の弾性力により、両閂ロッド１２が共にロック位置に向かう方向へ付勢されている。
両閂ロッド１２における個々の基端部１２ｂには、球形状の連結部１２ｃがそれぞれ設けられている（図２）。これらの連結部１２ｃが、つぎに説明する一対のステー２２の端部に設けられた断面「Ｕ」字形状の連結部２２ａに個別にはめ込まれることにより、両閂ロッド１２の基端部１２ｂが両ステー２２に個別に結合される。
【００１３】
ドア１０には、その開口部に組み込まれたケース２０がビス締結によって固定されている（図４〜６）。このケース２０内には、前述の両ステー２２が左右方向へ摺動可能に組み込まれている。これらのステー２２は、上下に相対向する面にそれぞれ設けられたラック２２ｂを備えている。これらのラック２２ｂは、ケース２０内において回転可能に支持されたピニオン２６に上下両側から噛み合っている。これによって両閂ロッド１２は、個々に結合されているステー２２のラック２２ｂとピニオン２６との噛み合いを通じて互いに同期してロック方向あるいはロック解除方向へ摺動することができる。
【００１４】
両ステー２２は、それぞれの上下面から張り出した突片２４を備えている。これらの各突片２４には、図４の拡大部分で示すように凸部２４ａと、この凸部２４ａの片側面を構成する斜面２４ｂとが設けられている。これらの各凸部２４ａおよび斜面２４ｂの機能については、つぎに説明するノブ３０との関連によって詳述する。
【００１５】
ケース２０には、その前面の開口側からノブ３０が組み付けられる。このノブ３０とケース２０の内面との間には、リターンスプリング３４が設けられる（図２）。このため、常態でのノブ３０は、リターンスプリング３４の付勢力を受けて図４で示す復帰位置に保持されている。この復帰位置にあるノブ３０をリターンスプリング３４の付勢力に抗してプッシュ操作することにより、該ノブ３０は図５で示すようにケース２０内に押し込まれた位置まで作動することができる。
なお、ノブ３０に作用しているリターンスプリング３４の付勢力と、閂ロッド１２に作用しているロックスプリング１４の付勢力とを比較したとき、後述の理由によって前者の方が小さく設定されている。
【００１６】
ノブ３０は、その左右両側において上下２個ずつ計４個の爪部３２を備えている。これらの各爪部３２は、ケース２０内の四隅に接触するように突出している。このため、ノブ３０は、４個の爪部３２をケース２０内の四隅に接触させた状態で作動することになる。
各爪部３２は、両ステー２２における各突片２４の凸部２４ａと個別に係合可能な凹部３２ａと、各突片２４の斜面２４ｂと個別に接触した斜面３２ｂとをそれぞれ備えている（図４）。なお、爪部３２の凹部３２ａと斜面３２ｂとは、互いに連続している。
【００１７】
つづいて、ドア用ロック機構のロック解除操作について説明する。
いま、両閂ロッド１２はそれぞれの先端部１２ａがインパネ１６のロック孔１８に進入したロック位置にあり、ドア１０は閉じた常態に保持されているものとする。そこで、ドア１０を開くために、図４で示す復帰位置にあるノブ３０をプッシュ操作すると、各爪部３２の斜面３２ｂと両ステー２２における各突片２４の斜面２４ｂとの接触作用により、両ステー２２が両閂ロッド１２と共にロック解除方向へ摺動する。
【００１８】
ノブ３０がプッシュ操作によって図５で示す位置まで作動すると、両閂ロッド１２がロック解除位置まで摺動するのと同時に、ノブ３０における各爪部３２の凹部３２ａと両ステー２２における各突片２４の凸部２４ａとが係合する。このとき、両閂ロッド１２にはロックスプリング１４の付勢力が作用しており、この付勢力はノブ３０に作用しているリターンスプリング３４の付勢力に勝ることから、各爪部３２の凹部３２ａと各突片２４の凸部２４ａとの係合が保持される。
これにより、両閂ロッド１２がロック解除位置に保持され、ノブ３０をプッシュ操作する方向とドア１０を開く方向とが相反するにもかかわらず、ドア１０が開く前に閂ロッド１２の先端部１２ａがインパネ１６のロック孔１８に再び進入することが防止される。
【００１９】
開いたドア１０を閉じる場合、ドア１０の回転操作量を僅かにオーバーストロークさせるようになっている。このため、ドア１０のオーバーストロークによって両閂ロッド１２の先端部１２ａがインパネ１６の一部に干渉し、これらの閂ロッド１２は図３の仮想線Ａで示すロック解除位置から実質的に仮想線Ｂで示す位置まで移動する。これによって、閂ロッド１２の側から両ステー２２に外力が作用することとなり、両ステー２２の各突片２４が図６で示す位置に瞬間的に移動する。このため、各突片２４の凸部２４ａが各爪部３２の凹部３２ａから離れて相互の係合が解放され、両閂ロッド１２がロック位置に摺動するとともに、ノブ３０は図６の仮想線で示す位置、つまり図４で示す復帰位置に戻る。
【００２０】
ドア１０を閉じるときにオーバーストロークさせることで、仮にドア１０に偏った力が加えられてねじれた状態で押されても、片方の閂ロッド１２の側から両ステー２２に外力が作用した時点では、途方の閂ロッド１２もロック孔１８の位置に到達しており、両閂ロッド１２が共にロック位置に摺動する。したがって、両閂ロッド１２の一方だけがロック孔１８に進入した片掛かり状態を回避できる。
また、ノブ３０のプッシュ操作においては、前述のように４個の爪部３２をケース２０内の四隅に接触させた状態で作動させることにより、該ノブ３０をプッシュ操作するときの押す位置が偏っていても安定した作動が得られる。
【００２１】
以上は本発明を実施するための最良の形態を図面に関連して説明したが、この実施の形態は本発明の趣旨から逸脱しない範囲で容易に変更または変形できるものである。
例えば、図５で示すようにロック解除位置に保持されている両閂ロッド１２側から両ステー２２に外力を作用させることで、両ステー２２の各突片２４とノブ３０の各爪部３２との係合を解放する手段は、ドア１０を閉じるときのオーバーストロークを利用することに限るものではない。これに代わる手段としては、両閂ロッド１２がロック解除位置に保持された状態でドア１０を開く過程において、両閂ロッド１２の先端部１２ａがインパネ１６のロック孔１８を通過した後に、該先端部１２ａをインパネ１６の一部に干渉させて両ステー２２にロック解除方向の外力を作用させることも可能である。
【符号の説明】
【００２２】
１０   ドア
１２   閂ロッド
１２ａ 先端部
１２ｂ 基端部
１４   ロックスプリング
１６   インパネ（相手部材）
１８   ロック孔
２０   ケース
２２   ステー
３０   ノブ
３２   爪部
３４   リターンスプリング
【図１】
2015113594.tif 000003
【図２】
2015113594.tif 000004
【図３】
2015113594.tif 000005
【図４】
2015113594.tif 000006
【図５】
2015113594.tif 000007
【図６】
2015113594.tif 000008